(57)【特許請求の範囲】
【請求項１】
無線を介して外部機器と通信を行うバッテリ駆動の生体試料測定装置であって、
生体データを測定する生体データ測定部と、
前記生体データ測定部において測定された前記生体データを前記外部機器に送信する送信部と、
前記送信部が前記生体データを前記外部機器に送信したことに反応して前記外部機器から発信される応答信号を受信する受信部と、
前記バッテリの出力電圧を監視する電圧監視部と、
前記電圧監視部が検出する前記バッテリの出力電圧に基づいて前記送信部における送信方法を変更する送信制御部と、
を備えている、生体試料測定装置。
【請求項２】
前記送信制御部は、前記電圧監視部によって検出された前記バッテリの出力電圧が第１の基準電圧よりも低い場合、前記生体データの送信を実行しないように前記送信部を制御する、
請求項１に記載の生体試料測定装置。
【請求項３】
前記送信制御部は、前記電圧監視部によって検出された前記バッテリの出力電圧が第２の基準電圧以上である場合において、前記受信部が受信した前記応答信号が、前記外部機器が前記生体データを正常に受信したことを示すアクノリッジ信号ではない時、または、前記受信部が、規定時間内に前記応答信号を受信しなかった時に、前記生体データの再送信を実行するように前記送信部を制御する、
請求項１または２に記載の生体試料測定装置。
【請求項４】
前記送信制御部は、前記電圧監視部によって検出された前記バッテリの出力電圧が第２の基準電圧よりも低く、かつ、第１の基準電圧以上である場合、前記受信部が受信した前記応答信号がアクノリッジ信号ではない時、または、前記受信部が前記規定時間内に前記応答信号を受信しなかった時であっても前記生体データの再送信をしないように前記送信部を制御する、
請求項１から３のいずれか１項に記載の生体試料測定装置。
【請求項５】
前記電圧監視部によって検出された前記バッテリの出力電圧が第２の基準電圧よりも低い場合、前記応答信号の受信をしないように前記受信部を制御する受信制御部をさらに備えている、
請求項１から４のいずれか１項に記載の生体試料測定装置。
【請求項６】
前記生体データ測定部によって測定された前記生体データを表示する為の表示部と、測定者が各種動作設定を行う為の動作設定部と、警告音を出力する為の警告音出力部と、を有しているインタフェース部をさらに備えている、
請求項１から５のいずれか１項に記載の生体試料測定装置。
【請求項７】
前記インタフェース部は、前記送信部が前記生体データの送信を完了するまでの間、前記生体データを表示しないように前記表示部を制御する第１表示制御部をさらに有している、
請求項６に記載の生体試料測定装置。
【請求項８】
前記インタフェース部は、前記生体データの値が第１の基準値以上である時、あるいは、前記第１の基準値よりも低い第２の基準値以下の時、前記警告音を出力するように前記警告音出力部を制御する警告音出力制御部をさらに有している、
請求項６または７に記載の生体試料測定装置。
【請求項９】
前記インタフェース部は、前記生体データの値が第１の基準値以上である時、あるいは、第１の基準値よりも低い第２の基準値以下の時、緊急ステータスを表示するように前記表示部を制御する第２表示制御部をさらに有している、
請求項６から８のいずれか１項に記載の生体試料測定装置。
【請求項１０】
前記緊急ステータスは、電話番号である、
請求項９に記載の生体試料測定装置。
【請求項１１】
前記緊急ステータスは、高血糖または低血糖に対する対処方法である、
請求項９に記載の生体試料測定装置。
【請求項１２】
前記生体データ測定部が血糖値を測定する構成とした無線血糖計である、
請求項１から１１のいずれか１項に記載の生体試料測定装置。
【発明の詳細な説明】
【技術分野】
【０００１】
本発明は、生体試料測定装置、より詳細には、無線通信機能を有する生体試料測定装置に関する。
【背景技術】
【０００２】
従来より、バッテリに駆動する電子機器においては、連続稼働時間を延長させるための様々な技術が開示されている。
【０００３】
例えば、特許文献１においては、図１１の電子機器ブロック図が示すように、バッテリの残量がある一定の値以下になった旨をバッテリ残量自動検知部１０１が検知した場合、中央処理制御部１０２が、無線通信デバイス１０３に対して、通信モードを出力レベルの高いクラス２から出力レベルの低いクラス３に移行させる旨を指示している。また、この時、中央処理制御部１０２は、信号処理部１０４に対して、一部機能の停止を指示している。これにより、消費電力の抑制を図って連続稼働時間を延長させている。
【特許文献１】特開２００４−２６６４５２号公報
【発明の開示】
【発明が解決しようとする課題】
【０００４】
従来の技術を用いれば、音楽機器のようなものであれば、バッテリが無くなるまでは品質を落としてでも音楽を再生することが可能ではある。一方、測定結果を他の機器に対して送信する無線通信機能を有する血糖計などの生体試料測定装置においては、少なくとも血糖値の測定は正確に行わなければならず、そのために必要な電力が確保されていることが必要である。
【０００５】
しかしながら、従来の技術を用いた場合、その必要な電力を確保することが出来ず、バッテリ残量が少なくなると確実な測定を行えなくなるという課題を有していた。
【０００６】
そこで、本発明は、バッテリ残量が少なくなっても、確実に測定を行えるようにすることを目的とする。
【課題を解決するための手段】
【０００７】
第１の発明に係る生体試料測定装置は、無線を介して外部機器と通信を行うバッテリ駆動の生体試料測定装置であって、生体データ測定部と、送信部と、受信部と、電圧監視部と、送信制御部とを備えている。生体データ測定部は、生体データを測定する。送信部は、生体データ測定部において測定された生体データを外部機器に送信する。受信部は、送信部が生体データを外部機器に送信したことに反応して外部機器から発信される応答信号を受信する。電圧監視部は、バッテリの出力電圧を監視する。送信制御部は、電圧監視部が検出するバッテリの出力電圧に基づいて送信部における送信方法を変更する。
【０００８】
ここでは、送信制御部が、電圧監視部が検出するバッテリの出力電圧に基づいて送信部における送信方法を変更している。
【０００９】
これにより、例えば、バッテリの残量が少ない場合には、送信制御部が、外部機器に生体データを送信、あるいは、生体データの送信に失敗した場合の再送信等を実行しないように送信部を制御して、バッテリ電力を消費することを回避している。
【００１０】
この結果、生体試料測定装置が生体データを測定するための必要最低限の電力を確保することができるので、バッテリ残量が少なくなっても、確実に測定を行うことが可能となる。
【００１１】
第２の発明に係る生体試料測定装置は、第１の発明に係る生体試料測定装置であって、送信制御部は、電圧監視部によって検出されたバッテリの出力電圧が第１の基準電圧よりも低い場合、生体データの送信を実行しないように送信部を制御する。
【００１２】
ここでは、送信制御部における送信部の制御内容を特定している。
これにより、バッテリの残量が少ない場合には、生体データの送信によってバッテリの電力が消費されることを回避することができる。この結果、生体データを測定するためのバッテリ寿命を長くすることが可能となる。
【００１３】
第３の発明に係る生体試料測定装置は、第１または第２の発明に係る生体試料測定装置であって、送信制御部は、電圧監視部によって検出されたバッテリの出力電圧が第２の基準電圧以上である場合において、受信部が受信した応答信号が、外部機器が生体データを正常に受信したことを示すアクノリッジ信号ではない時、または、受信部が、規定時間内に応答信号を受信しなかった時に、生体データの再送信を実行するように送信部を制御する。
【００１４】
ここでは、送信制御部における送信部の制御内容を特定している。
これにより、外部機器との通信が成功しなかった場合を客観的に判断して、生体データの再送信を決定することが可能となる。また、バッテリの出力電圧に基づいて、生体データの再送信を決定することができるので、バッテリ残量が十分にある時には確実に生体データを送信することが出来るように再送信を行うことが可能となる。
【００１５】
第４の発明に係る生体試料測定装置は、第１から第３の発明のいずれか１つに係る生体試料測定装置であって、送信制御部は、電圧監視部によって検出されたバッテリの出力電圧が第２の基準電圧よりも低く、かつ、第１の基準電圧以上である場合、受信部が受信した応答信号がアクノリッジ信号ではない時、または、受信部が規定時間内に応答信号を受信しなかった時であっても生体データの再送信をしないように送信部を制御する。
【００１６】
ここでは、送信制御部における送信部の制御内容を特定している。
これにより、外部機器との通信が成功しなかった場合を客観的に判断して、生体データの再送信を決定することが可能となる。また、バッテリの出力電圧に基づいて、生体データの再送信を決定することができるので、生体データを測定するためのバッテリ寿命を長くすることが可能となる。
【００１７】
第５の発明に係る生体試料測定装置は、第１から第４の発明のいずれか１つに係る生体試料測定装置であって、電圧監視部によって検出されたバッテリの出力電圧が第２の基準電圧よりも低い場合、外部機器からの応答信号の受信をしないように受信部を制御する受信制御部をさらに備えている。
【００１８】
ここでは、受信制御部における受信部の制御内容を特定している。
これにより、バッテリの残量が少ない場合には、応答信号の受信によってバッテリの電力が消費されることを回避できるので、生体データを測定するためのバッテリ寿命を長くすることが可能となる。
【００１９】
第６の発明に係る生体試料測定装置は、第１から第５の発明のいずれか１つに係る生体試料測定装置であって、生体データ測定部によって測定された生体データを表示する為の表示部と、測定者が各種動作設定を行う為の動作設定部と、警告音を出力する為の警告音出力部と、を有しているインタフェース部をさらに備えている。
【００２０】
第７の発明に係る生体試料測定装置は、第６の発明に係る生体試料測定装置であって、インタフェース部は、送信部が生体データの送信を完了するまでの間、生体データを表示しないように表示部を制御する第１表示制御部をさらに有している。
【００２１】
これにより、生体データの送信が完了するまで測定者は、自分の生体データを確認しようとするために、少なくとも表示部周辺は手で覆わない状態に保つようになる。このため、保持する手による電波吸収の影響を低減することができるので、送信電力を低く抑え、バッテリの寿命をさらに長くすることが可能となる。
【００２２】
第８の発明に係る生体試料測定装置は、第６または第７の発明に係る生体試料測定装置であって、インタフェース部は、生体データの値が第１の基準値以上である時、あるいは、第１の基準値よりも低い第２の基準値以下の時、警告音を出力するように警告音出力部を制御する警告音出力制御部をさらに有している。
【００２３】
これにより、例えば、測定された生体データが緊急事態を示す値である場合に、測定者の周囲の者に測定者が緊急事態にあることを警告音で知らせることが可能となる。
【００２４】
第９の発明に係る生体試料測定装置は、第６から第８の発明のいずれか１つに係る生体試料測定装置であって、インタフェース部は、生体データの値が第１の基準値以上である時、あるいは、第１の基準値よりも低い第２の基準値以下の時、緊急ステータスを表示するように表示部を制御する第２表示制御部をさらに有している。
【００２５】
これにより、例えば、測定された生体データが緊急事態を示す値である場合に、測定者の周囲の者に測定者が緊急事態にあることを表示で知らせることが可能となる。
【００２６】
第１０の発明に係る生体試料測定装置は、第９の発明に係る生体試料測定装置であって、前記緊急ステータスは、電話番号である。
【００２７】
これにより、測定者のあるいは測定者の周囲の者が、表示された電話番号を見て、その患者の家族や担当医師に即座に連絡することができる。
【００２８】
第１１の発明に係る生体試料測定装置は、第９の発明に係る生体試料測定装置であって、緊急ステータスは、高血糖または低血糖に対する対処方法である。
【００２９】
これにより、測定者あるいは測定者の周囲の者が、表示された対処方法等を見ながら適切に対処することが可能となる。
【００３０】
第１２の発明に係る生体試料測定装置は、第１から第１１の発明のいずれか１つに係る生体試料測定装置であって、生体データ測定部が血糖値を測定する構成とした無線血糖計である。
【００３１】
ここでは、生体試料測定装置の一つとして、携帯端末との間で無線通信を行う無線血糖計を適用している。
【００３２】
これにより、バッテリ残量が少なくなっても、確実に血糖値の測定を行うことが可能となる無線血糖計を提供することが可能となる。
【発明の効果】
【００３３】
本発明に係る生体試料測定装置によれば、バッテリ残量が少なくなっても、確実に測定を行うことが可能となる。
【発明を実施するための最良の形態】
【００３４】
本発明の一実施形態に係る無線血糖計（生体試料測定装置）２について、図１〜図８を用いて説明すれば以下の通りである。
【００３５】
［無線血糖計２の構成］
無線血糖計２による血糖値（生体データ）の測定は、１日に複数回行われている。無線血糖計２の測定者は、電気化学式で使い捨て式のバイオセンサ１を無線血糖計２に接続し、血液をバイオセンサ１に点着する。
【００３６】
無線血糖計２は、接続されたバイオセンサ１から血糖値を検出し、携帯端末（外部機器）３に検出した血糖値のデータを送信する。携帯端末３は、このデータを受信すると無線血糖計２に対して応答信号を発信する。この応答信号は、通常は、無線血糖計２から血糖値のデータを受信したことを示すアクノリッジ信号であり、無線血糖計２から何らかのデータを受信したが、外乱要因により血糖値のデータを読み取ることが出来なかった場合には、ノンアクノリッジ信号となる。
【００３７】
携帯端末３は、病院の医師や看護師が携帯して患者が測定した血糖値を記憶するものである。そして、その血糖値をグラフ表示して経過を確認したり、病院などに備えられたサーバーへネットワークを介して記憶した血糖値を送信する機能を備えている。
【００３８】
［無線血糖計２の内部動作の説明］
次に、図１の本発明の実施形態における無線血糖計と周辺デバイスのブロック図を用いて、無線血糖計２の内部動作を説明する。
【００３９】
無線血糖計２は、図１に示すように、血糖値検出部（生体データ測定部）２１と、送信部２２と、受信部２３と、電圧監視部２４と、インタフェース部２５と、バッテリ２６と、を有している。
【００４０】
血糖値検出部２１は、バイオセンサ１に点着された血液から血糖値を計測する。そして、計測した血糖値を送信部２２およびインタフェース部２５に転送する。
【００４１】
送信部２２は、血糖値検出部２１によって検出された血糖値データを携帯端末３に送信する。
【００４２】
ここで、携帯端末３は、送信部２２から送信された血糖値データを受信するとアクノリッジ信号を送信する。
【００４３】
受信部２３は、携帯端末３からのアクノリッジ信号を受信するとアクノリッジ信号受信有りの情報を送信部２２に対して出力する。ここで、送信部２２が携帯端末３に対して血糖値を送信したにもかかわらず、受信部２３が６００ｍｓ間にアクノリッジ信号を受信できなかった場合には、送信部２２は、送信電力を送出できる最大の値に設定して血糖値データを携帯端末３に再送する。なお、血糖値データの再送は、受信部２３がアクノリッジ信号を受信できるまで最大５回行われる。また、送信部２２が送信する最大送信電力は、各種法規制を遵守する範囲とする。
【００４４】
電圧監視部２４は、無線血糖計２に搭載されているバッテリ２６の出力電圧を監視している。これにより、後述する送信制御回路（送信制御部）２２１が、バッテリ２６の出力電圧、すなわち、バッテリ２６の残量に応じた制御を行うことが可能となる。これについては、後段にて詳述する。
【００４５】
インタフェース部２５は、測定者が、無線血糖計２を操作する場合のインタフェースを担う部分であって、例えば、動作設定部２５１や、表示部２５２を有している。なお、インタフェース部２５については後段にて詳述する。
【００４６】
バッテリ２６は、無線血糖計２の各部を駆動させるための電圧を供給する。
【００４７】
［無線血糖計２の内部ブロックの説明］
以下、無線血糖計２の内部ブロックの詳細な説明を行う。
【００４８】
（血糖値検出部２１）
次に、図２の血糖値検出部２１のブロック図を用いて、血糖値検出部２１の詳細な説明を行う。
【００４９】
血糖値検出部２１は、図２に示すように、コネクタ２１１と、演算増幅器２１２と、帰還抵抗２１３と、Ａ／Ｄ変換回路２１５と、演算回路２１６と、記憶部２１７とを有している。
【００５０】
ここで、バイオセンサ１は、使い捨て式かつ電気化学式であって、作用極１１と、対極１２と、反応体１３とを有している。作用極１１は、バイオセンサ１をコネクタ２１１に挿入したとき、電極２１１１と接触する。対極１２は、バイオセンサ１をコネクタ２１１に挿入したとき、電極２１１２と接触する。反応体１３は、酵素やメディエータ等から形成されている。反応体１３に血液を点着すると、反応体１３が血液に溶解して酵素反応が進行する。
【００５１】
コネクタ２１１は、バイオセンサ１を挿入するための挿入口であって、電極２１１１と、電極２１１２とを有している。コネクタ２１１にバイオセンサ１が挿入されると、電極２１１１は、バイオセンサ１に含まれる作用極１１と接触し、電極２１１２は、バイオセンサ１に含まれる対極１２と接触する。
【００５２】
演算増幅器２１２は、バイオセンサ１の作用極１１に接する電極２１１１とバイオセンサ１の対極１２に接する電極２１１２とを介して作用極１１と対極１２に電圧を印加する。このとき、血液中の糖濃度と相関のある電流が、帰還抵抗２１３を通してバイオセンサ１に流れる。ここで、演算増幅器２１２の非反転入力端子２１２２は、基準電位２１４に接続されている。そして、演算増幅器２１２は、非反転入力端子２１２２と反転入力端子２１２１とを同電位に保とうと制御するので、帰還抵抗２１３の電流による降下分の電位に基準電位２１４を加算した電圧が出力端子２１２３に発生する。これにより、バイオセンサ１に流れる電流に比例した電圧が出力端子２１２３に発生し、電流−電圧変換を行うことが出来る。
【００５３】
Ａ／Ｄ変換回路２１５は、出力端子２１２３に発生した電圧をデジタル値に変換する。そして、Ａ／Ｄ変換回路２１５は、変換されたデジタル値を演算回路２１６に送信する。
【００５４】
演算回路２１６は、Ａ／Ｄ変換回路２１５から送られるデジタル値を演算する。これにより、バイオセンサ１に流れた電流値から血中の糖濃度を計算することが可能となる。そして、演算回路２１６は、計算した糖濃度を送信部２２およびインタフェース部２５に転送する。
【００５５】
なお、血中の糖濃度を得るに際しては、例えば、次のような処理がなされる。
すなわち、予め工場で、コネクタ２１１の電極２１１１と電極２１１２との間に、低糖濃度および高糖濃度に相当する電流を発生する２つの定電流源をそれぞれ接続し、各々のＡ／Ｄ変換値から、電流値とデジタル値との一次変換式を演算回路２１６で求めておく。その一次式の傾きａと切片ｂとは、前述のＡ／Ｄ変換回路２１５から出力されるデジタル値と糖濃度とを関連づける情報であり、これを記憶部２１７に記憶しておく。そして、測定者が血糖値を測定する時には、演算回路２１６は、Ａ／Ｄ変換回路２１５から得られるデジタル値を、記憶部２１７に記憶した一次式に当てはめることにより血中の糖濃度を計算する。そして、算出された血糖値は、送信部２２およびインタフェース部２５に転送される。
【００５６】
（送信部２２）
次に、図３の送信部２２のブロック図、図４の送信部２２の制御フローチャートを用いて、送信部２２の詳細な説明を行う。
【００５７】
送信部２２は、図３に示すように、送信制御回路２２１と、電力設定レジスタ２２２と、最大電力保持レジスタ２２３と、セレクタ２２４と、送信回路２２５とを有している。
【００５８】
送信制御回路２２１は、セレクタ２２４，送信回路２２５を制御する。
電力設定レジスタ２２２は、送信電力決定部が送信する際の送信電力を保持している。
【００５９】
最大電力保持レジスタ２２３は、無線血糖計２が送りうる最大の送信電力を保持している。
【００６０】
セレクタ２２４は、送信回路２２５に出力する電力を、電力設定レジスタ２２２と最大電力保持レジスタ２２３との間で切り換える。
【００６１】
送信回路２２５は、血糖値検出部２１から送信された血糖値データを、セレクタ２２４から送信された電力で携帯端末３に送信する。
【００６２】
送信制御回路２２１は、電圧監視部２４が監視するバッテリ２６の出力電圧に基づいて送信部２２における送信方法を変更し、血糖値検出部２１から出力された血糖値を携帯端末３に送信するように送信回路２２５に指示する。具体的には、送信制御回路２２１は、電圧監視部２４が監視するバッテリ２６の出力電圧の確認を行う。
【００６３】
ここで、電圧監視部２４によってバッテリ２６の出力電圧が４．２Ｖ（第１の基準電圧）より小さいと判断された時（電圧監視部２４のＢＰ［１：０］＝００）、送信制御回路２２１は、血糖値検出部２１から出力された血糖値を携帯端末３に送信しないように制御して処理を終了する。
【００６４】
電圧監視部２４によってバッテリ２６の出力電圧が４．２Ｖ以上と判断された時（電圧監視部２４のＢＰ［１：０］＝０１、または、電圧監視部２４のＢＰ［１：０］＝１１）、送信回路２２５は、測定データに誤り検出符号を付加したものを変調して送信データとし、その先頭にプリアンブルパターンとシンクパターンとを付加して、携帯端末３に対して送信する。そして、送信制御回路２２１は、送信回路２２５への送信の指示後、内部のタイマーでカウントを開始する。なお、携帯端末３は、血糖値データを受信してから５００ｍｓ後にアクノリッジ信号を送信する。そして、送信制御回路２２１は、送信後１００ｍｓで受信部２３に対して受信開始を指示し、送信開始後６００ｍｓで受信部２３の受信を終了させる。
【００６５】
次に、送信制御回路２２１は、受信部２３にアクノリッジ信号受信の有無の情報を確認する。そして、受信部２３が、携帯端末３からのアクノリッジ信号を受信できていた場合、送信制御回路２２１は、携帯端末３に対して血糖値の送信を終了させるように送信回路２２５を制御する。
【００６６】
一方、受信部２３が、携帯端末３からのアクノリッジ信号を受信できていなかった場合、または、携帯端末３からノンアクノリッジ信号を受信した場合、即ち、後述するアクノリッジ信号受信無しの情報が受信部２３から出力された時、送信回数、バッテリ２６の出力電圧が所定の条件（後段にて詳述）にあるか確認し、送信制御回路２２１は、最大電力保持レジスタ２２３に格納された値が、送信回路２２５に入力されるようにセレクタ２２４を切り替える。そして、送信制御回路２２１は、送信回路２２５に血糖値の再送信を指示する。
【００６７】
以下、上記の所定の条件について説明する。
まず、送信制御回路２２１は、血糖値データの送信回数Ｎが５回以上かどうかの確認を行う。そして、血糖値データの送信回数が５回目以上の場合、すなわち、送信回路２２５によって、５回の血糖値の再送信を行った結果、一度も携帯端末３からのアクノリッジ信号が受信できなかった場合、送信制御回路２２１は、送信回路２２５に対して血糖値の送信を終了するように指示する。すなわち、送信回路２２５による血糖値の再信は、５回を限度に行われる。
【００６８】
一方、血糖値データの送信回数が５回目未満の場合、送信制御回路２２１は、電圧監視部２４が監視するバッテリ２６の出力電圧の確認を行う。
【００６９】
ここで、電圧監視部２４によってバッテリ２６の出力電圧が４．２Ｖ（第１の基準電圧）以上で４．５Ｖ（第２の基準電圧）より小さいと判断された時（電圧監視部２４のＢＰ［１：０］＝０１）、送信制御回路２２１は、血糖値検出部２１から出力された血糖値を携帯端末３に送信するように指示せずに一連の処理を終了する。これにより、バッテリ２６の消費電力を抑えることが可能となり、バッテリ２６の寿命をさらに長くすることを可能としている。
【００７０】
また、電圧監視部２４によってバッテリ２６の出力電圧が４．５Ｖ以上と判断された時（電圧監視部２４のＢＰ［１：０］＝１１）、送信制御回路２２１は、セレクタ２２４を切り替えて、血糖値の送信（再送信）を行う。これにより、バッテリ２６の残量に余裕のあるときのみ再送信を行うことを可能としている。
【００７１】
以上に示したように、送信制御回路２２１が、電圧監視部２４が監視する出力電圧の値によって血糖値の送信有無を制御することで、バッテリの寿命を長くして、無線血糖計２における血糖値測定機能を維持するようにしている。
【００７２】
（受信部２３）
次に、図５の受信部２３のブロック図、図６の受信部２３の制御フローチャートを用いて、受信部２３の詳細な説明を行う。
【００７３】
受信部２３は、図５に示すように、受信制御回路（受信制御部）２３１と、受信回路２３２と、プリアンブル検出回路２３３と、シンクパターン検出回路２３４と、復調回路２３５と、受信レジスタ２３６と、誤り検出回路２３７とを有している。
【００７４】
受信制御回路２３１は、送信部２２からの受信開始命令を受けて、受信回路２３２を制御する。
【００７５】
受信回路２３２は、受信した信号から搬送波の検出、ゲインコントロールや中間周波数への変換等の処理を行い、処理後のデータをプリアンブル検出回路２３３、シンクパターン検出回路２３４、復調回路２３５に転送する。
【００７６】
プリアンブル検出回路２３３は、４バイト連続のプリアンブルパターンの検出を行う。そして、プリアンブルパターンを検出すると、プリアンブル検出回路２３３は、シンクパターン検出回路２３４に起動パルスを出力する。
【００７７】
シンクパターン検出回路２３４は、プリアンブル検出回路２３３からの起動パルスにより、受信回路２３２から出力される受信データからシンクパターンの検出を行う。
【００７８】
復調回路２３５は、シンクパターン検出回路２３４が検出したシンクパターンを基準に受信データの復調を行う。
【００７９】
受信レジスタ２３６は、復調回路２３５によって復調された受信データを記憶する。そして、誤り検出回路２３７は、受信データに対して誤り検出を行い、その結果を受信制御回路２３１に出力する。
【００８０】
受信制御回路２３１は、誤り検出回路２３７から結果通知を受け取ると、受信データに誤りが検出されなくて、かつ、受信データの所定の領域にアクノリッジ信号を示すコードが存在していた場合にアクノリッジ信号受信有りの情報を、一方、ノンアクノリッジ信号を示すコードが存在していた場合には、アクノリッジ信号受信無しの情報を、送信部２２に対して出力し、受信動作を終了する。また、受信制御回路２３１は、送信部２２から受信終了信号を受け取った場合でも受信動作を終了する。
【００８１】
この時、受信データに誤りが検出された場合や、プリアンブルパターンやシンクパターン等が検出出来ずに受信データの復調が行えなかった場合にも、アクノリッジ信号受信無しの情報を送信部２２に対して出力する。
【００８２】
（電圧監視部２４）
次に、図７の電圧監視部２４のブロック図を用いて、電圧監視部２４の詳細な説明を行う。
【００８３】
電圧監視部２４は、図７に示すように、定電圧回路２４１と、４＿５Ｖ分圧回路２４２と、４＿２Ｖ分圧回路２４３と、４＿５コンパレータ２４４と、４＿２コンパレータ２４５とを有している。
【００８４】
バッテリ２６の出力は、２〜１０Ｖの入力電圧に対して常に５Ｖを出力する定電圧回路２４１に入力される。そして、定電圧回路２４１によって５Ｖの信号が生成される。定電圧回路２４１によって生成された５Ｖの信号は、４＿５Ｖ分圧回路２４２、４＿２Ｖ分圧回路２４３にそれぞれ入力されて、４．５Ｖおよび４．２Ｖの基準電圧信号が生成される。４＿５Ｖ分圧回路２４２によって生成された４．５Ｖの基準電圧信号は、４＿５コンパレータ２４４の“−”端子に供給され、バッテリ２６の出力電圧と比較される。また、４＿２Ｖ分圧回路２４３によって生成された４．２Ｖの基準電圧信号は、４＿２コンパレータ２４５の“−”端子に供給され、バッテリ２６の出力電圧と比較される。その結果、４＿５コンパレータ２４４、４＿２コンパレータ２４５の出力ＢＰ［１：０］は、バッテリ２６の出力電圧が４．５Ｖ以上の時“１１”となり、バッテリ２６の出力電圧が４．２Ｖ〜４．５Ｖの時“０１”となり、４．２Ｖ以下の時“００”となる。
【００８５】
なお、電圧の監視は、Ａ／Ｄコンバータによってバッテリ２６の出力をデジタル化し、ＣＰＵ等でデジタル値を読み取ることによっても実現可能である。
【００８６】
（インタフェース部２５）
次に、図８のインタフェース部２５のブロック図を用いて、インタフェース部２５の詳細な説明を行う。
【００８７】
インタフェース部２５は、図８に示すように、動作設定部２５１と、表示部２５２と、警告音出力部２５３と、時間管理部２５４と、第１表示制御部２５５と、第２表示制御部２５６と、警告音出力制御部２５７と、を有している。
【００８８】
測定者は、表示部２５２に表示された設定項目を確認しながら動作設定部２５１を用いて設定を行う。その際、設定項目としては、曜日、時間、送信電力等の情報がある。
【００８９】
そして、曜日および時間は、時間管理部２５４に対して出力される。
時間管理部２５４は、設定された情報をもとに現在の曜日、時間を管理する。時間管理部２５４において管理される曜日、時間の情報は、表示部２５２に出力される。
【００９０】
表示部２５２は、血糖値の測定時において、血糖値検出部２１によって血糖値が算出されると、表示部２５２は、算出された血糖値と共に曜日、時間情報を表示する。また、算出された血糖値が４００ｍｇ／ｄｌ（第１の基準値）以上の高血糖状態、または、５０ｍｇ／ｄｌ（第２の基準値）以下の低血糖状態であった場合、警告音出力制御部２５７は、測定者（糖尿病患者）は非常に危険な状態にあることを客観的に判断して、測定者を含む周囲の人に危険を知らせる為の警告音を出力するように警告音出力部２５３を制御する。また、第２表示制御部２５６は、測定者が意識障害を起こした場合を考慮して、緊急連絡先の電話番号や、低血糖状態の際には糖分を補給する等の応急手当に関する情報を表示するように表示部２５２を制御する。
【００９１】
これにより、無線血糖計２の測定者の周囲の人に測定者が危険な状態であることを知らせることが可能となる。また、無線血糖計２を使用する測定者が意識障害に陥った場合においても、周囲の者が、表示部２５２に表示された電話番号を見て即座に緊急連絡先に連絡したり、表示部２５２に表示された対処法等を見ながら適切に対処したりすることが可能となる。
【００９２】
［他の実施形態］
以上、本発明の一実施形態について説明したが、本発明は上記実施形態に限定されるものではなく、発明の要旨を逸脱しない範囲で種々の変更が可能である。
【００９３】
（Ａ）
上記実施形態においては、生体試料測定装置の一例として無線血糖計２に適用する例を挙げて説明した。しかし、本発明はこれに限定されるものではない。
【００９４】
例えば、乳酸、尿酸などを測定する乳酸測定装置、尿酸測定装置の場合でも良く、そのデータを他の端末等に無線送信するような装置であれば、上記の実施形態に係る無線血糖計２と同様の効果を得ることができる。
【００９５】
（Ｂ）
上記実施形態の無線血糖計２においては、電圧監視部２４によってバッテリ２６の出力電圧が４．２Ｖ以上で４．５Ｖ（第２の基準電圧）より小さいと判断された時（電圧監視部２４のＢＰ［１：０］＝０１）、送信制御回路２２１は、血糖値検出部２１から出力された血糖値を携帯端末３に送信するように指示せずに一連の処理を終了する例を挙げて説明した。しかし、本発明はこれに限定されるものではない。
【００９６】
例えば、電圧監視部２４によってバッテリ２６の出力電圧が４．５Ｖ（第２の基準電圧）より小さいと判断された時（電圧監視部２４のＢＰ［１：０］＝０１）、受信部２３が携帯端末３からの応答信号の受信を行わないようにしてもよい。この時は、送信部２２は血糖値の再送信は行わない。これにより、受信部２３が消費する電力を抑え、バッテリ２６の寿命をさらに長くすることが可能となる。
【００９７】
（Ｃ）
上記実施形態の無線血糖計２においては、表示部２５２は、血糖値の測定時において、血糖値検出部２１によって血糖値が算出されると、表示部２５２は、算出された血糖値と共に曜日、時間情報を表示する例を挙げて説明した。
【００９８】
これに加えて、例えば、第１表示制御部２５５（図８参照）は、送信部２２が血糖値の送信を完了するまでは、図９（ａ）に示すように、表示部２５２に血糖値（生体データ）を表示しない（非実行）ようにし、送信部２２が血糖値の送信が完了すると、図９（ｂ）に示すように、表示部２５２に血糖値（生体データ）２５２ａを表示するように制御してもよい。これにより、図１０に示すように、血糖値の送信が完了するまで測定者は、自分の血糖値を確認しようとするために、少なくとも表示部２５２周辺は手で覆わない状態に保つようになる。よって、無線血糖計２が手で保持して使用するような小型装置の場合でも、保持する手による電波吸収の影響を低減することができるので、送信電力を低く抑え、バッテリ２６の寿命をさらに長くすることが可能となる。
【００９９】
（Ｄ）
上記実施形態の無線血糖計２においては、血糖値検出部２１によって測定された血糖値データを４００ｍｇ／ｄｌ（第１の基準値）以上、または、５０ｍｇ／ｄｌ（第２の基準値）以下であった場合に、警告音出力部２５３、表示部２５２が警告を発する例を挙げて説明した。しかし、本発明はこれに限定されるものではない。
【０１００】
ここでは、糖尿病患者の一般的な指標を採用しているに過ぎず、例えば、その設定値を３５０ｍｇ／ｄｌにする等、測定者に応じて設定してもよい。
【０１０１】
また、第１の基準値との関係においても、同値である場合、小さい場合等、判断基準となる第１の基準値の指標に従って条件の設定をすることも可能である。
【０１０２】
ここでは、糖尿病患者の一般的な指標を採用しているに過ぎず、例えば、その設定値を６０ｍｇ／ｄｌにする等、測定者に応じて設定することができる。
【０１０３】
また、第２の基準値との関係においても、同値である場合、小さい場合等、判断基準となる第２の基準値の指標に従って条件の設定をすることも可能である。
【０１０４】
（Ｅ）
上記実施形態の無線血糖計２では、電圧監視部２４によってバッテリ２６の出力電圧が４．２Ｖより小さいと判断された時（電圧監視部２４のＢＰ［１：０］＝００）、送信制御回路２２１は、血糖値検出部２１から出力された血糖値を携帯端末３に送信するように指示しないで処理を終了する例を挙げて説明した。しかし、本発明はこれに限定されるものではない。
【０１０５】
４．２Ｖという処理を終了する基準（第１の基準電圧）は、例えば、４．０Ｖや３．５Ｖ等であってもよく、その設定値を問うものではない。第１の基準電圧は、無線血糖計の消費電力やバッテリの性能に応じて適切に設定することができる。
【０１０６】
（Ｆ）
上記実施形態の無線血糖計２では、電圧監視部２４によってバッテリ２６の出力電圧が４．５Ｖ以上と判断された時（電圧監視部２４のＢＰ［１：０］＝１１）、送信制御回路２２１は、セレクタ２２４を切り替えて再送信を行う例を挙げて説明した。しかし、本発明はこれに限定されるものではない。
【０１０７】
４．５Ｖという再送信処理を中止する基準（第２の基準電圧）は、例えば、５．０Ｖや５．５Ｖ等であってもよく、その設定値を問うものではない。第２の基準電圧は、無線血糖計の消費電力やバッテリの性能に応じて適切に設定することができる。
【０１０８】
（Ｇ）
上記実施形態の無線血糖計２では、図１に示す制御ブロックは、それぞれのハードウェアの機能により構築する例を挙げて説明した。しかし、本発明はこれに限定されるものではない。
【０１０９】
図１に示す制御ブロックの構築は、例えば、１つのハードウェアやコンピュータソフトウェア、あるいはハードウェアとコンピュータソフトウェアの機能を組み合わせてもよく、処理能力等に応じて適宜決めることができる。
【産業上の利用可能性】
【０１１０】
本発明に係る無線血糖計は、バッテリ残量が少なくなっても、測定を確実に行えるようにすることができる無線血糖計として有用である。
【図面の簡単な説明】
【０１１１】
【図１】本発明の実施形態における無線血糖計と周辺デバイスのブロック図。
【図２】本発明の実施形態における血糖値検出部のブロック図。
【図３】本発明の実施形態における送信部のブロック図。
【図４】本発明の実施形態における送信部の制御フローチャート。
【図５】本発明の実施形態における受信部のブロック図。
【図６】本発明の実施形態における受信部の制御フローチャート。
【図７】本発明の実施形態における電圧監視部のブロック図。
【図８】本発明の実施形態におけるインタフェース部のブロック図。
【図９】（ａ），（ｂ）は、本発明の他の実施形態における無線血糖計の表示状態の変化の一例を示す図。
【図１０】図９の無線血糖計を左手で保持した時の様子を示す図。
【図１１】従来の電子機器におけるブロック図。
【符号の説明】
【０１１２】
１        バイオセンサ
２        無線血糖計（生体試料測定装置）
３        携帯端末（外部機器）
１１      作用極
１２      対極
１３      反応体
２１      血糖値検出部（生体データ測定部）
２２      送信部
２３      受信部
２４      電圧監視部
２５      インタフェース部
２６      バッテリ
１０１    バッテリ残量自動検知部
１０２    中央処理制御部
１０３    無線通信デバイス
１０４    信号処理部
２１１    コネクタ
２１２    演算増幅器
２１３    帰還抵抗
２１４    基準電位
２１５    Ａ／Ｄ変換回路
２１６    演算回路
２１７    記憶部
２２１    送信制御回路（送信制御部）
２２２    電力設定レジスタ
２２３    最大電力保持レジスタ
２２４    セレクタ
２２５    送信回路
２３１    受信制御回路（受信制御部）
２３２    受信回路
２３３    プリアンブル検出回路
２３４    シンクパターン検出回路
２３５    復調回路
２３６    受信レジスタ
２３７    誤り検出回路
２４１    定電圧回路
２４２    ４＿５Ｖ分圧回路
２４３    ４＿２Ｖ分圧回路
２４４    ４＿５コンパレータ
２４５    ４＿２コンパレータ
２５１    動作設定部
２５２    表示部
２５２ａ  血糖値表示（生体データ表示）
２５３    警告音出力部
２５４    時間管理部
２５５    第１表示制御部
２５６    第２表示制御部
２５７    警告音出力制御部
【図１】
0004800373.tif 000002
【図２】
0004800373.tif 000003
【図３】
0004800373.tif 000004
【図４】
0004800373.tif 000005
【図５】
0004800373.tif 000006
【図６】
0004800373.tif 000007
【図７】
0004800373.tif 000008
【図８】
0004800373.tif 000009
【図９】
0004800373.tif 000010
【図１０】
0004800373.tif 000011
【図１１】
0004800373.tif 000012